(57)【要約】【課題】  メモリカードが装着される携帯電話機の内部の信号ケーブルの損傷を防止する。【解決手段】テンション付与部３５ｂは、フレキシブルケーブル３４の筐体２２ｂに対する接触を回避するように同フレキシブルケーブル３４の湾曲部にテンションを与える形状とされ、同フレキシブルケーブル３４が筐体２２ｂに接触しないので、ｍｉｎｉＳＤメモリカード３７の着脱時にフレキシブルケーブル３４に接触することがなく、同フレキシブルケーブル３４に損傷が発生することが回避されると共に、同フレキシブルケーブル３４の表面に結露が発生しても、携帯電話機の内部に毛管現象により水分が侵入することが回避される。【選択図】図３
2006344832.tif 000002
【特許請求の範囲】
【請求項１】
カード装着部に対してメモリカードを挿抜するための開口部を有する筐体と、該筐体の内部に収容されている第１の回路基板及び第２の回路基板と、前記第１の回路基板と前記第２の回路基板との間に介挿された絶縁基板と、前記第２の回路基板の上面であって前記第１の回路基板とは反対側の面に実装された前記カード装着部と、前記絶縁基板を跨いで前記第１の回路基板と前記第２の回路基板とを電気的に接続するための信号ケーブルとを備えてなる電子機器であって、
前記信号ケーブルは、前記カード装着部のメモリカード挿抜口の近傍を通って、前記第２の回路基板の下面に接続され、
前記絶縁基板には、前記信号ケーブルの湾曲部に所定のテンションを与えるためのテンション付与手段が設けられていることを特徴とする電子機器。
【請求項２】
前記テンション付与手段は、
前記信号ケーブルの湾曲部の緩みが前記メモリカードの挿抜動作の邪魔となることを防止する形状とされていることを特徴とする請求項１記載の電子機器。
【請求項３】
前記テンション付与手段は、
前記メモリカードの位置に対して逆方向に前記信号ケーブルが配置されるように前記湾曲部にテンションを与える形状とされていることを特徴とする請求項１又は２記載の電子機器。
【請求項４】
前記テンション付与手段は、
前記信号ケーブルの当該電子機器の筐体に対する接触を回避する態様で前記湾曲部にテンションを与える形状とされていることを特徴とする請求項１、２又は３記載の電子機器。
【請求項５】
カード装着部に対してメモリカードを挿抜するための開口部を有する筐体と、該筐体の内部に収容されている第１の回路基板及び第２の回路基板と、該第２の回路基板の上面であって前記第１の回路基板とは反対側の面に実装された前記カード装着部と、該カード装着部のメモリカード挿抜口の近傍を通って、前記第２の回路基板の下面に接続され、前記第１の回路基板と前記第２の回路基板とを電気的に接続するための信号ケーブルとを備えてなる電子機器に用いられ、前記第１の回路基板と前記第２の回路基板との間に介挿される絶縁基板であって、
前記信号ケーブルの湾曲部に所定のテンションを与えるためのテンション付与手段が設けられていることを特徴とする絶縁基板。
【請求項６】
前記テンション付与手段は、
前記信号ケーブルの湾曲部の緩みが前記メモリカードの挿抜動作の邪魔となることを防止する形状とされていることを特徴とする請求項５記載の絶縁基板。
【請求項７】
前記テンション付与手段は、
前記メモリカードの位置に対して逆方向に前記信号ケーブルが配置されるように前記湾曲部にテンションを与える形状とされていることを特徴とする請求項５又は６記載の絶縁基板。
【請求項８】
前記テンション付与手段は、
前記信号ケーブルの当該電子機器の筐体に対する接触を回避する態様で前記湾曲部にテンションを与える形状とされていることを特徴とする請求項５、６又は７記載の絶縁基板。
【発明の詳細な説明】
【技術分野】
【０００１】
この発明は、電子機器及び該電子機器に用いられる絶縁基板に係り、たとえばｍｉｎｉＳＤ（登録商標）メモリカードが装着される携帯電話機などのように、着脱可能なメモリカードが装着される電子機器及び該電子機器に用いられる絶縁基板に関する。
【背景技術】
【０００２】
携帯電話機は、近年では、ｍｉｎｉＳＤメモリカードが装着される構成のものが多くなり、また、より小形化及び薄型化されてきている。ｍｉｎｉＳＤメモリカードは、携帯電話機に装着されることにより、通話動作で送受信される音声及び音声以外のデータ（たとえば、カメラ機能を有する携帯電話機で撮影された写真の画像データなど）が記録される。また、ｍｉｎｉＳＤメモリカードには、たとえば音楽データなどが記録され、携帯電話機は、同ｍｉｎｉＳＤメモリカードが装着されることにより、音楽再生装置としての機能を有することになる。
【０００３】
この種の携帯電話機は、従来では、たとえば、非特許文献１に記載されたものがある。
この携帯電話機は、図４に示すように、上部ユニット１と、下部ユニット２とを備えている。上部ユニット１は、第１の前面に図示しない表示部を備え、下部ユニット２が、第２の前面に図示しない操作部を備えている。そして、第１及び第２の前面同士が向かい合う態様で上部ユニット１と下部ユニット２とがヒンジ部３を介して折り畳み可能に構成されている。下部ユニット２には、バッテリ４が装着されている。また、下部ユニット２は図示しないｍｉｎｉＳＤメモリカードを挿入するための開口部５を有し、同開口部５にはカバー６が開閉可能に装着されている。
【０００４】
図５は、図４中の下部ユニット２のＡ−Ａ線断面図である。
この下部ユニット２は、同図５に示すように、互いに嵌合された筐体２ａ，２ｂを有している。筐体２ａ，２ｂの内部には、回路基板１１と、回路基板１２と、カードスロット１３と、フレキシブルケーブル１４と、支持フレーム１５と、コネクタ１６とが収容されている。回路基板１１には、たとえばＲＦ回路（無線回路）などが設けられている。回路基板１２は、回路基板１１に対向して配置されている。カードスロット１３は、回路基板１２の回路基板１１側に対して反対側の面に実装され、ｍｉｎｉＳＤメモリカードが開口部５を経て方向Ａから装着されるようになっている。フレキシブルケーブル１４は、回路基板１１上に支持フレーム１５を介して回路基板１２を載置する場合の作業性を考慮した折れ曲がらない程度の適切な長さに設定されて、カードスロット１３の近傍に湾曲状態で配置され、回路基板１２に対してｍｉｎｉＳＤメモリカードの着脱方向（方向Ａ）と同一の方向から接続されている。また、フレキシブルケーブル１４は、回路基板１２に直付けで接続される一方、コネクタ１６を介して回路基板１１に接続されている。支持フレーム１５は、回路基板１２を回路基板１１上に載置すると共に電気的に絶縁する。
【０００５】
この携帯電話機では、カバー６が開けられることにより、ｍｉｎｉＳＤメモリカードが開口部５を経てカードスロット１３に装着され、所定の動作が行われる。
【非特許文献１】「ムーバＮ５０５ｉＳ取扱説明書」、日本電気株式会社、２００３年１１月発行、７頁
【発明の開示】
【発明が解決しようとする課題】
【０００６】
しかしながら、上記従来の携帯電話機では、次のような問題点があった。
すなわち、図５に示すように、フレキシブルケーブル１４がカードスロット１３の近傍に湾曲状態で配置されているため、ｍｉｎｉＳＤメモリカードの位置に対して同フレキシブルケーブル１４の位置が重なることがある。このため、ｍｉｎｉＳＤメモリカードの着脱時にフレキシブルケーブル１４に接触し、これが繰り返されると、同フレキシブルケーブル１４に損傷（たとえば、被覆の摩耗、断線）が発生するという問題点がある。この問題点を解決するために、フレキシブルケーブル１４を短くすることが考えられるが、この場合、組み立て時に同フレキシブルケーブル１４が折れ曲がることがあり、作業性が悪くなるという問題点がある。
【０００７】
この発明は、上述の事情に鑑みてなされたもので、メモリカードを装着しても、信号ケーブルに損傷が発生しない電子機器及び同電子機器に用いられる絶縁基板を提供することを目的としている。
【課題を解決するための手段】
【０００８】
上記課題を解決するために、請求項１記載の発明は、カード装着部に対してメモリカードを挿抜するための開口部を有する筐体と、該筐体の内部に収容されている第１の回路基板及び第２の回路基板と、前記第１の回路基板と前記第２の回路基板との間に介挿された絶縁基板と、前記第２の回路基板の上面であって前記第１の回路基板とは反対側の面に実装された前記カード装着部と、前記絶縁基板を跨いで前記第１の回路基板と前記第２の回路基板とを電気的に接続するための信号ケーブルとを備えてなる電子機器に係り、前記信号ケーブルは、前記カード装着部のメモリカード挿抜口の近傍を通って、前記第２の回路基板の下面に接続され、前記絶縁基板には、前記信号ケーブルの湾曲部に所定のテンションを与えるためのテンション付与手段が設けられていることを特徴としている。
【０００９】
請求項２記載の発明は、請求項１記載の電子機器に係り、前記テンション付与手段は、前記信号ケーブルの湾曲部の緩みが前記メモリカードの挿抜動作の邪魔となることを防止する形状とされていることを特徴としている。
【００１０】
請求項３記載の発明は、請求項１又は２記載の電子機器に係り、前記テンション付与手段は、前記メモリカードの位置に対して逆方向に前記信号ケーブルが配置されるように前記湾曲部にテンションを与える形状とされていることを特徴としている。
【００１１】
請求項４記載の発明は、請求項１、２又は３記載の電子機器に係り、前記テンション付与手段は、前記信号ケーブルの当該電子機器の筐体に対する接触を回避する態様で前記湾曲部にテンションを与える形状とされていることを特徴としている。
【００１２】
請求項５記載の発明は、カード装着部に対してメモリカードを挿抜するための開口部を有する筐体と、該筐体の内部に収容されている第１の回路基板及び第２の回路基板と、該第２の回路基板の上面であって前記第１の回路基板とは反対側の面に実装された前記カード装着部と、該カード装着部のメモリカード挿抜口の近傍を通って、前記第２の回路基板の下面に接続され、前記第１の回路基板と前記第２の回路基板とを電気的に接続するための信号ケーブルとを備えてなる電子機器に用いられ、前記第１の回路基板と前記第２の回路基板との間に介挿される絶縁基板に係り、前記信号ケーブルの湾曲部に所定のテンションを与えるためのテンション付与手段が設けられていることを特徴としている。
【００１３】
請求項６記載の発明は、請求項５記載の絶縁基板に係り、前記テンション付与手段は、前記信号ケーブルの湾曲部の緩みが前記メモリカードの挿抜動作の邪魔となることを防止する形状とされていることを特徴としている。
【００１４】
請求項７記載の発明は、請求項５又は６記載の絶縁基板に係り、前記テンション付与手段は、前記メモリカードの位置に対して逆方向に前記信号ケーブルが配置されるように前記湾曲部にテンションを与える形状とされていることを特徴としている。
【００１５】
請求項８記載の発明は、請求項５、６又は７記載の絶縁基板に係り、前記テンション付与手段は、前記信号ケーブルの当該電子機器の筐体に対する接触を回避する態様で前記湾曲部にテンションを与える形状とされていることを特徴としている。
【発明の効果】
【００１６】
この発明の構成によれば、テンション付与手段により、信号ケーブルの湾曲部に所定のテンションが与えられるので、同湾曲部にメモリカードが接触することがなく、同信号ケーブルに損傷が発生することを回避できる。また、テンション付与手段は、信号ケーブルの当該電子機器の筐体に対する接触を回避する態様で湾曲部にテンションを与える形状とされているので、同信号ケーブルの表面に結露が発生しても、同筐体の壁面と同信号ケーブルとの接触による毛管現象が発生せず、電子機器の内部に水分が侵入することを回避できる。このため、絶縁不良などの不具合をなくすことができる。
【発明を実施するための最良の形態】
【００１７】
テンション付与部により、信号ケーブルがメモリカードの位置に対して逆方向に配置されるように湾曲部にテンションが与えられ、同湾曲部にメモリカードが接触しない電子機器及び同電子機器に用いられる絶縁基板を提供する。
【実施例１】
【００１８】
図１は、この発明の第１の実施例である電子機器の外観を示す斜視図である。
この例の電子機器は、同図に示すように、携帯電話機２０であり、上部ユニット２１と、下部ユニット２２とを備えている。上部ユニット２１は、第１の前面に図示しない表示部を備え、下部ユニット２２が、第２の前面に図示しない操作部を備えている。そして、第１及び第２の前面同士が向かい合う態様で上部ユニット２１と下部ユニット２２とがヒンジ部２３を介して折り畳み可能に構成されている。下部ユニット２２には、バッテリ２４が装着されている。また、下部ユニット２２は図示しないｍｉｎｉＳＤメモリカードを挿入するための開口部２５を有し、同開口部２５にはカバー２６が開閉可能に装着されている。
【００１９】
図２は、図１中の下部ユニット２２のＡ−Ａ線断面図である。
この下部ユニット２２は、同図２に示すように、互いに嵌合された筐体２２ａ，２２ｂを有している。筐体２２ａ，２２ｂの内部には、回路基板３１と、回路基板３２と、カードスロット３３と、フレキシブルケーブル３４と、支持フレーム３５と、コネクタ３６と、ｍｉｎｉＳＤメモリカード３７とが収容されている。回路基板３１には、たとえばＲＦ回路（無線回路）などが設けられている。回路基板３２は、回路基板３１に対向して配置されている。カードスロット３３は、回路基板３２の回路基板３１側に対して反対側の面に実装され、ｍｉｎｉＳＤメモリカード３７を開口部２５を経て方向Ａから装着されるようになっている。
【００２０】
フレキシブルケーブル３４は、可撓性の素材で構成され、回路基板３１上に支持フレーム３５を介して回路基板３２を載置する場合の作業性を考慮した折れ曲がらない程度の適切な長さに設定されて、カードスロット３３のメモリカード挿抜口の近傍を通って、回路基板３２の下面にｍｉｎｉＳＤメモリカード３７の着脱方向（方向Ａ）と同一の方向から湾曲状態で接続されている。また、フレキシブルケーブル３４は、回路基板３２に直付けで接続される一方、コネクタ３６を介して回路基板３１に接続されている。支持フレーム３５は、非導電性の素材で構成され、回路基板３２を回路基板３１上に載置すると共に電気的に絶縁する。特に、この実施例では、支持フレーム３５は、フレキシブルケーブル３４の湾曲部の緩みがｍｉｎｉＳＤメモリカード３７の挿抜動作の邪魔となることを防止するために、同湾曲部に所定のテンションを与えるためのテンション付与部３５ａが設けられている。このテンション付与部３５ａは、ｍｉｎｉＳＤメモリカード３７の位置に対して逆方向にフレキシブルケーブル３４が配置されるように湾曲部にテンションを与える形状とされている。
【００２１】
この携帯電話機２０では、カバー２６が開けられることにより、ｍｉｎｉＳＤメモリカード３７が開口部３５を経てカードスロット３３に装着され、所定の動作が行われる。たとえば、ｍｉｎｉＳＤメモリカード３７に音楽データが記録されていれば、携帯電話機２０により、同音楽データに基づく音楽が再生される。また、携帯電話機２０にカメラ機能があれば、撮影された写真の画像データがｍｉｎｉＳＤメモリカード３７に記録される。
【００２２】
この場合、支持フレーム３５のテンション付与部３５ａにより、フレキシブルケーブル３４がｍｉｎｉＳＤメモリカード３７の位置に対して逆方向に配置されるように湾曲部にテンションが与えられているので、同ｍｉｎｉＳＤメモリカード３７の挿抜動作の邪魔とならない状態となっている。
【００２３】
以上のように、この第１の実施例では、テンション付与部３５ａが、フレキシブルケーブル３４の湾曲部にテンションを与え、ｍｉｎｉＳＤメモリカード３７の位置に対して逆方向に同フレキシブルケーブル３４を配置する形状とされているので、同ｍｉｎｉＳＤメモリカード３７の挿抜時にフレキシブルケーブル３４に接触することがなく、同フレキシブルケーブル３４に損傷が発生することが回避される。
【実施例２】
【００２４】
図３は、この発明の第２の実施例である携帯電話機の下部ユニットの断面図であり、第１の実施例を示す図２中の要素と共通の要素には共通の符号が付されている。
この例の下部ユニット２２Ａでは、同図３に示すように、図２中の支持フレーム３５に代えて、支持フレーム３５Ａが設けられている。支持フレーム３５Ａでは、テンション付与部３５ａに代えて、異なる形状のテンション付与部３５ｂが設けられている。テンション付与部３５ｂは、フレキシブルケーブル３４の筐体２２ｂに対する接触を回避するように、同フレキシブルケーブル３４の湾曲部にテンションを与える凸部が設けられた形状とされている。他は、図２と同様の構成である。
【００２５】
上記第１の実施例の支持フレーム３５では、フレキシブルケーブル３４が筐体２２ｂに接触することがあるが、外気が高湿のときや、寒冷時に携帯電話機を外から室内に持ち込んだ場合などでは、フレキシブルケーブル３４の表面に結露が発生し、同フレキシブルケーブル３４と同筐体２２ｂとの間の毛管現象により水分が携帯電話機の内部に侵入することがある。このため、絶縁不良などの不具合が発生することがある。一方、この実施例の下部ユニット２２Ａでは、テンション付与部３５ｂにより、フレキシブルケーブル３４が筐体２２ｂに接触しないので、毛管現象が発生しない。
【００２６】
以上のように、この第２の実施例では、テンション付与部３５ｂは、フレキシブルケーブル３４の筐体２２ｂに対する接触を回避するように同フレキシブルケーブル３４の湾曲部にテンションを与える形状とされ、同フレキシブルケーブル３４が筐体２２ｂに接触しないので、第１の実施例の利点に加え、同フレキシブルケーブル３４の表面に結露が発生しても、携帯電話機の内部に毛管現象により水分が侵入することが回避される。
【００２７】
以上、この発明の実施例を図面により詳述してきたが、具体的な構成は同実施例に限られるものではなく、この発明の要旨を逸脱しない範囲の設計の変更などがあっても、この発明に含まれる。
たとえば、携帯電話機２０の筐体は、折り畳み型に限らず、ストレート型や、スライド型でも良い。また、メモリカードは、ｍｉｎｉＳＤメモリカード３７に限定されず、たとえばメモリスティックなど、携帯電話機２０に装着される任意のもので良い。また、フレキシブルケーブル３４は、より剛性の高いリジッドフレキシブルケーブルでも良い。
【産業上の利用可能性】
【００２８】
この発明は、ｍｉｎｉＳＤメモリカードが装着される携帯電話機の他、たとえば、デジタルカメラなど、ＳＤ（登録商標）メモリカードなどの着脱可能なメモリカードが装着される構成の電子機器全般に適用できる。また、ＳＤメモリカードなどが装着される構成のオーディオ機器、液晶テレビ装置及びプラズマテレビ装置などにも適用できる。
【図面の簡単な説明】
【００２９】
【図１】この発明の第１の実施例である電子機器の外観を示す斜視図である。
【図２】図１中の下部ユニット２２のＡ−Ａ線断面図である。
【図３】この発明の第２の実施例である携帯電話機の下部ユニットの断面図である。
【図４】従来の電子機器の外観を示す斜視図である。
【図５】図４中の下部ユニット２のＡ−Ａ線断面図である。
【符号の説明】
【００３０】
２０      携帯電話機（電子機器）
２１      上部ユニット（電子機器の一部）
２２，２２Ａ      下部ユニット（電子機器の一部）
２３      ヒンジ部（電子機器の一部）
２５      開口部
２６      カバー
２２ａ，２２ｂ      筐体
３１      回路基板（第１の回路基板）
３２      回路基板（第２の回路基板）
３３      カードスロット（カード装着部）
３４      フレキシブルケーブル（信号ケーブル）
３５，３５Ａ      支持フレーム（絶縁基板）
３５ａ，３５ｂ      テンション付与部（テンション付与手段、絶縁基板の一部）
３６      コネクタ（信号ケーブルの一部）
３７      ｍｉｎｉＳＤメモリカード（メモリカード）
【図１】
2006344832.tif 000003
【図２】
2006344832.tif 000004
【図３】
2006344832.tif 000005
【図４】
2006344832.tif 000006
【図５】
2006344832.tif 000007